(57)【要約】  本発明にかかる情報管理装置（１）は、設備に関する情報を部品化してなる構成部品情報を受け取ると、受け取った構成部品情報と他の１又は複数の構成部品情報との関係を示す関係情報を生成し、生成した関係情報と共に関係情報に関する構成部品情報を記憶部に保管する登録処理部（１３）と、記憶部が保管する各構成部品情報を、関係情報に基づいて各構成部品情報を、他の構成部品情報との関係が視認可能な形式で表現して表示部（２１）に表示する表示画面生成部である情報解析部（１１）と、を備える。
2017179177.tif 000002
【特許請求の範囲】
【請求項１】
設備に関する情報を部品化してなる構成部品情報を受け取ると、受け取った構成部品情報と他の１又は複数の構成部品情報との関係を示す関係情報を生成し、前記生成した関係情報と共に前記関係情報に関する構成部品情報を記憶部に保管する登録処理部と、
前記記憶部が保管する各構成部品情報を、前記関係情報に基づいて各構成部品情報を、他の構成部品情報との関係が視認可能な形式で表現して表示部に表示する表示画面生成部と、
を備えることを特徴とする情報管理装置。
【請求項２】
前記登録処理部は、前記設備の設定情報を前記構成部品情報と対応付けて前記記憶部に登録する、
ことを特徴とする請求項１に記載の情報管理装置。
【請求項３】
前記表示画面生成部は、各構成部品情報を前記表示部に表示させる際に、対応付けられている設定情報とともに表示させる、
ことを特徴とする請求項２に記載の情報管理装置。
【請求項４】
前記関係情報および前記設定情報を編集する情報編集部、
を備えることを特徴とする請求項２または３に記載の情報管理装置。
【請求項５】
前記記憶部で保持されている一つ以上の構成部品情報を選択して外部へ出力する操作が行われると、前記操作で選択された構成部品情報および前記操作で選択された構成部品情報と対応付けられている情報を、前記操作で指定された出力先へ出力する情報出力部、
を備えることを特徴とする請求項２、３または４に記載の情報管理装置。
【請求項６】
前記記憶部が保持している構成部品情報のうち、外部から入力されたキーワードを含んでいる設定情報を検索し、検索した設定情報と対応付けられている構成部品情報と、検索した設定情報と対応付けられている構成部品情報と関係のある他の構成部品情報とを前記表示部に表示させる検索処理部、
を備えることを特徴とする請求項２から５のいずれか一つに記載の情報管理装置。
【請求項７】
前記登録処理部は、前記記憶部に登録する前記構成部品情報を記憶領域から受け取り、受け取った構成部品情報と他の構成部品情報との関係を示す関係情報が前記記憶領域に存在するか否かを確認し、関係情報が存在する場合、前記記憶領域から前記関係情報を取得して前記受け取った構成部品情報と対応付けて前記記憶部に登録する、
ことを特徴とする請求項１から６のいずれか一つに記載の情報管理装置。
【請求項８】
前記登録処理部は、前記記憶部に登録する前記構成部品情報を記憶領域から受け取り、受け取った構成部品情報と他の構成部品情報との関係を示す関係情報が前記記憶領域に存在するか否かを確認し、関係情報が存在しない場合、前記受け取った構成部品情報と対応付ける関係情報を生成して前記受け取った構成部品情報と対応付けて前記記憶部に登録する、
ことを特徴とする請求項１から７のいずれか一つに記載の情報管理装置。
【請求項９】
ユーザのアクセス権を管理するユーザ管理部、
を備え、
ユーザが使用可能な機能を各ユーザに設定されているアクセス権に応じてユーザごとに変更する、
ことを特徴とする請求項１から８のいずれか一つに記載の情報管理装置。
【請求項１０】
１又は複数の構成部品情報を表示する第１の表示領域と、
構成部品情報と他の構成部品情報とを関係付ける第２の表示領域と、
前記第１の表示領域に表示される構成部品情報を前記第２の表示領域に移動する構成部品情報移動手段と、
を備え、
前記登録処理部は、前記第２の表示領域で関係付けられた複数の構成部品情報の関係を関係情報として登録する
ことを特徴とする請求項１から９のいずれか一つに記載の情報管理装置。
【請求項１１】
前記記憶部に記憶された構成部品情報を検索する検索手段と、
検索手段によって検索された構成部品情報を表示部に表示する表示手段と、
を備え、
表示画面生成部は、前記表示部に表示された構成部品情報が選択されると、選択された構成部品情報を含む前記関係情報に基づいて、この関係情報に関する構成部品情報の関係を視認可能な形式で表現して表示部に表示する
ことを特徴とする請求項１から９のいずれか一つに記載の情報管理装置。
【請求項１２】
前記表示画面生成部は、複数の関係情報毎に、関係情報に関係付けられた構成部品情報を視認可能な形式で表示部に表示すると共に、
前記表示部に表示された関係情報に関する所望の構成部品情報を、他の関係情報の構成部品情報に関係付けて表示可能であり、
前記登録処理部は、前記表示画面生成部が表示する複数の構成部品情報間の関係を、新たな関係情報として登録する
ことを特徴とする請求項１から９のいずれか一つに記載の情報管理装置。
【請求項１３】
設備に関する情報を部品化して得られた構成部品情報を保持するデータサーバを備えた情報管理装置が実行する情報管理方法であって、
前記データサーバに登録する構成部品情報を受け取り、受け取った構成部品情報と他の構成部品情報との関係を示す関係情報を前記受け取った構成部品情報と対応付けるステップと、
前記受け取った構成部品情報および前記受け取った構成部品情報に対応付けた関係情報を前記データサーバに登録するステップと、
前記データサーバが保持している各構成部品情報を、他の構成部品情報との関係が視認可能な形式で表現して表示部に表示するステップと、
を含むことを特徴とする情報管理方法。
【請求項１４】
設備に関する情報を部品化して得られた構成部品情報を保持するデータサーバと、
前記構成部品情報を前記データサーバに登録する情報管理装置と、
を備え、
前記構成部品情報は、他の構成部品情報との関係を示す関係情報と対応付けられて前記データサーバで保持されている、
ことを備えることを特徴とする情報管理システム。
【発明の詳細な説明】
【技術分野】
【０００１】
本発明は、ファクトリーオートメーション（ＦＡ：Ｆａｃｔｏｒｙ  Ａｕｔｏｍａｔｉｏｎ）の設備を構築するときに必要な情報を管理する情報管理装置、情報管理方法および情報管理システムに関する。
【背景技術】
【０００２】
ファクトリーオートメーション（以下、ＦＡと称する）の設備は、多数のＦＡ機器の組み合わせで実現されており、それぞれのＦＡ機器に対して、設定およびプログラムなどが必要となっている。これらのＦＡ機器の設定およびプログラムなどの情報は、再利用を行いやすくするための部品化および構造化がすすめられている。ユーザは、これらの情報を、次回ＦＡの設備を構築する際に必要な資産として管理している。【０００３】
しかし、これらの部品化された情報は、工場設備ライン１本分の設定データの集合、複数の機器を含む１つの設備の設定データ、１つの機器のプロジェクト、複数枚の画面設定、１本のプログラム、プログラムの一部の動作を切り出したもの、など、様々な粒度の情報である。ここで、プロジェクトとは、機器の動作に必要なデータ、具体的には、機器を動作させるためのプログラム、機器を制御するための制御情報などを含んで構成されたデータである。プロジェクト毎に使用する各種パラメータを設定することで、機器は設定されたプロジェクトに従った動作を実行する。【０００４】
また、部品化された情報のそれぞれは、他の情報との包含関係がある、関連性を有する情報の組み合わせが存在する、など、情報同士が様々な関係性を持っている。ＦＡ機器の設定、プログラムなどを将来使用するために管理しておくシステムでは、管理している情報の中に必要な情報が含まれているか否かの確認、情報同士の関係性の確認などが容易に行えるようにすることが課題とされる。この課題を解決することにより、既存の情報を効率的に流用することが可能となり、ＦＡの設備の構築、変更などにかかる負荷を低減させることができる。【０００５】
特許文献１には、ＦＡ機器の制御で使用する情報をタグとして一元管理し、タグを容易に再利用できるようにした発明が記載されている。
【先行技術文献】
【特許文献】
【０００６】
【特許文献１】特開２００４−２２７４６０号公報
【発明の概要】
【発明が解決しようとする課題】
【０００７】
しかしながら、特許文献１に記載の発明では、ＦＡ機器の制御で使用する情報のみを対象として管理しており、その他の情報を管理することができない。また、管理する情報同士の関連性については考慮されておらず、効率的に再利用することが難しいという問題があった。【０００８】
一方、汎用のフォルダ管理ツールなどを使用し、各自で階層構造化して管理する、管理するフォルダの名称を工夫する、などにより、様々な種類の情報を管理することが可能である。また、粒度の異なる部品を管理することも可能である。しかしながら、フォルダ管理ツールなどを使用して情報を管理する場合、フォルダ名を付けた作業者本人以外の作業者は必要な情報を探すことが難しく、また、親データすなわち粒度の大きい情報に包含されている子データすなわち粒度の小さい情報を探すのは容易ではない。また、子データを個別に保存した場合は親データとの関係が分からなくなり、再利用の際に手間がかかる。【０００９】
本発明は、上記に鑑みてなされたものであって、ＦＡの設備で使用する情報の効率的な再利用を実現可能な情報管理装置を得ることを目的とする。
【課題を解決するための手段】
【００１０】
上述した課題を解決し、目的を達成するために、本発明にかかる情報管理装置は、設備に関する情報を部品化してなる構成部品情報を受け取ると、受け取った構成部品情報と他の１又は複数の構成部品情報との関係を示す関係情報を生成し、生成した関係情報と共に関係情報に関する構成部品情報を記憶部に保管する登録処理部と、記憶部が保管する各構成部品情報を、関係情報に基づいて各構成部品情報を、他の構成部品情報との関係が視認可能な形式で表現して表示部に表示する表示画面生成部と、を備える。
【発明の効果】
【００１１】
本発明にかかる情報管理装置は、ＦＡの設備で使用する情報の効率的な再利用を実現できるという効果を奏する。
【図面の簡単な説明】
【００１２】
【図１】本発明の実施の形態にかかる情報管理装置の構成例を示す図
【図２】実施の形態にかかる構成部品情報の一例を示す図
【図３】実施の形態にかかる関係情報の一例を説明するための図
【図４】実施の形態にかかる関係情報の一例を説明するための図
【図５】実施の形態にかかる情報管理装置のハードウェア構成図
【図６】実施の形態にかかるユーザの認証を行う際に情報管理装置が表示部に表示する画面の一例を示す図
【図７】実施の形態にかかる情報管理装置がユーザにメニューを選択させる際に表示部に表示する画面の一例を示す図
【図８】実施の形態にかかる情報管理装置がユーザに構成部品情報のグループ名称を入力させる際に表示部に表示する画面の一例を示す図
【図９】実施の形態にかかる構成部品情報の登録操作が行われた場合の情報管理装置の動作例を示す図
【図１０】実施の形態にかかる情報管理装置が構成部品情報および関係情報をデータサーバに登録する動作の一例を示すフローチャート
【図１１】実施の形態にかかる情報管理装置の登録処理部が関係情報を生成する動作の一例を示すフローチャート
【図１２】実施の形態にかかる情報管理装置が構成部品情報の登録が完了した後に表示部に表示する画面の一例を示す図
【図１３】実施の形態にかかる構成部品情報の表示例と、構成部品情報に対応付けられた関係情報および設定情報の内容例とを示す図
【図１４】実施の形態にかかる構成部品情報の表示例と、構成部品情報に対応付けられた関係情報および設定情報の内容例とを示す図
【図１５】実施の形態にかかる構成部品情報の閲覧動作の一例を示す図
【図１６】実施の形態にかかる構成部品情報同士の関係を変更するための操作例を示す図
【図１７】実施の形態にかかる構成部品情報同士の関係を変更するための操作例を示す図
【図１８】実施の形態にかかる構成部品情報を複製する動作の一例を示す図
【図１９】実施の形態にかかる設定情報を変更する操作の一例を示す図
【図２０】実施の形態にかかる関連情報および設定情報を同時に変更する動作の一例を示す図
【図２１】実施の形態にかかる情報管理装置がアクセス権を設定する際に表示部に表示する画面の一例を示す図
【図２２】実施の形態にかかる情報管理システムの構成例を示す図
【図２３】実施の形態にかかる情報管理システムの他の構成例を示す図
【発明を実施するための形態】
【００１３】
以下に、本発明の実施の形態にかかる情報管理装置、情報管理方法および情報管理システムを図面に基づいて詳細に説明する。なお、この実施の形態によりこの発明が限定されるものではない。
【００１４】
実施の形態．
図１は、本発明の実施の形態にかかる情報管理装置の構成例を示す図である。
【００１５】
情報管理装置１は、データサーバ３０を備え、ＦＡの設備に関する情報を対象として管理を行う装置である。管理対象の情報は、再利用しやすくするために部品化されている情報とする。ここで、部品化とは、あるＦＡ機器に関連している情報、例えば、動作プログラム、仕様書、マニュアルなど、をまとめて一つの情報とすること、ある一つの情報のうち、流用可能な一部分、例えば、ＦＡ機器を制御するプログラムのうち、ＦＡ機器の一部の機能に関係する部分、を切り出して別の情報とすること、などである。ＦＡの設備に関する情報としては、ＦＡの設備の設計書、ＦＡの設備を構成するＦＡ機器の仕様書、ＦＡ機器を動作させるためのプログラム、ＦＡ機器のパラメータ、などが該当するがこれらに限定するものではない。ＦＡの設備に関連する情報であればどのような情報でもよい。ＦＡの設備に間接的に関連する情報であってもよい。以下の説明では、情報管理装置１が管理する、ＦＡの設備に関連する様々な情報が部品化された状態の情報を構成部品情報と称する。
【００１６】
情報管理装置１の構成について説明する。情報管理装置１は、情報処理部１０、表示部２１、入力部２２、外部メモリ接続部２３、ユーザ管理部２４、出力部２５およびデータサーバ３０を備える。また、情報処理部１０は、情報解析部１１、検索処理部１２、登録処理部１３、設定情報編集部１４および関係情報編集部１５を備える。情報管理装置１は、ＦＡの設備に関連する情報を外部から取得し、取得した情報をデータサーバ３０に書き込む処理、データサーバ３０で記憶されているＦＡの設備に関連する情報を表示部２１に表示してユーザに確認させる処理、などを実行する。
【００１７】
情報管理装置１の情報処理部１０において、情報解析部１１は、外部から取得した情報およびデータサーバ３０から読み出した情報を解析する。検索処理部１２は、データサーバ３０で記憶されている情報の中から、条件を満たす情報を探し出す。登録処理部１３は、ユーザにより指定された情報すなわちＦＡの設備に関連する情報をデータサーバ３０に登録する。設定情報編集部１４は、後述する設定情報の編集を行う。関係情報編集部１５は、後述する関係情報の編集を行う。設定情報編集部１４および関係情報編集部１５は情報編集部を構成する。
【００１８】
情報管理装置１において、表示部２１は、ユーザが情報管理装置１を利用するための各種操作メニュー画面、データサーバ３０で記憶されている情報の確認画面、外部から取得した情報の確認画面などを表示する。入力部２２は、ユーザによる入力操作、具体的には、実行する動作の選択操作、表示部２１に表示している情報の編集操作などを受け付ける。外部メモリ接続部２３は、着脱可能な外部メモリを接続するためのインタフェースである。ユーザ管理部２４は、情報管理装置１のユーザの情報を外部から取得する処理、情報管理装置１の各種機能の使用をユーザに許可するか否かの判定処理などを行う。出力部２５はデータサーバ３０に格納されている情報を読み出して図示を省略している記憶装置の作業領域へ出力する処理などを行う。なお、情報管理装置１の内部に表示部２１を備えるのではなく、情報管理装置１は、外部の表示装置を接続するための接続部を備え、この接続部を介して接続された外部の表示装置に各種画面を表示させる構成であってもよい。
【００１９】
データサーバ３０は、データ保持部３１およびユーザデータ保持部３２を備える。
【００２０】
情報管理装置１のデータサーバ３０において、データ保持部３１は、構成部品情報３１１、設定情報３１２および関係情報３１３を保持する。構成部品情報３１１は、ＦＡの設備に関する情報が部品化された状態の情報であり、情報管理装置１の外部のアプリケーションなどにより生成および編集が行われる情報である。構成部品情報３１１は、情報管理装置１が外部から取得した状態のままで保持される。
【００２１】
構成部品情報３１１の詳細について、図２を参照しながら説明する。図２は、構成部品情報の一例を示す図である。データサーバ３０のデータ保持部３１で保持される構成部品情報３１１には、粒度の異なる複数種類の情報が含まれている。図２に示したように、構成部品情報３１１としては、工場単位レベルで部品化された情報、設備単位レベルで部品化された情報、機器単位レベルで部品化された情報、プログラム単位レベルで部品化された情報、プログラム部品単位レベルで部品化された情報が存在する。これらの部品化された情報である構成部品情報の粒度は、工場単位レベルの構成部品情報＞設備単位レベルの構成部品情報＞機器単位レベルの構成部品情報＞プログラム単位レベルの構成部品情報＞プログラム部品単位レベルの構成部品情報、という関係がある。なお、図２に示した単位は一例であり、その他の単位で部品化された情報を構成部品情報３１１としてもよい。
【００２２】
工場単位レベルの構成部品情報としては、ワークスペース、複数のワークスペースの集合、ワークスペースの仕様書などが該当する。ワークスペースは、複数のプロジェクトを含んで構成された情報である。設備単位レベルの構成部品情報としては、ワークスペース、複数のプロジェクトの集合、設備の仕様書などが該当する。機器単位レベルの構成部品情報としては、各機器のプロジェクト、プロジェクトの仕様書などが該当する。プログラム単位レベルの構成部品情報としては、各機器のプロジェクトで使用するプログラム、プログラムの仕様書、テンプレート画面データ、音声データなどが該当する。プログラム部品単位レベルの構成部品情報としては、プログラムの一部の動作を切り出した部品であるＦＢ（Function  Brock）などが該当する。なお、各構成部品情報を構成しているより粒度の小さい構成部品情報同士は、何らかの関連性を有している。例えば、あるＦＡ機器を動作させるためのプログラムについてのプログラム単位レベルの構成部品情報は、プログラムの一部の処理を切り出して生成された構成部品情報により構成されている。
【００２３】
設定情報３１２は、構成部品情報３１１の一つと対応付けられた情報であり、例えば、対応付けられている構成部品情報がＦＡ機器のプロジェクトの場合、プロジェクトの設定内容を示す情報である。また、通信機能を有しているＦＡ機器の通信設定なども設定情報３１２に該当する。なお、構成部品情報３１１の中には対応付けられる設定情報３１２が存在しないものもある。
【００２４】
関係情報３１３は、データ保持部３１で保持されている複数の構成部品情報３１１同士の関係を示す情報である。関係情報３１３は構成部品情報３１１の一つもしくは複数と対応付けられている。関係情報３１３は情報管理装置１の情報処理部１０で生成され、構成部品情報３１１と対応付けられる。この関係情報３１３の一例を図３および図４を用いて説明する。図３および図４は、関係情報の一例を説明するための図である。
【００２５】
図３に示したＡ、Ｂ、ＣおよびＤは、Ｆａｃｔｏｒｙ（Ｘ）のＦＡ設備を構成しているＡ−Ｓｙｓｔｅｍの構成部品情報、または、Ａ−ｓｙｓｔｅｍを構成している機器等の構成部品情報を示している。情報Ａすなわち構成部品情報ＡはＡ−Ｓｙｓｔｅｍに関する全ての情報を部品化したもの、情報ＢはＡ−ｓｙｓｔｅｍを構成している機器３６に関する全ての情報を部品化したもの、情報ＣはＡ−ｓｙｓｔｅｍを構成している機器３７に関する全ての情報を部品化したもの、情報Ｄは機器３７に関する情報の一部、例えば機器３７のプロジェクトに関する全ての情報を部品化したものである。図３に示した例では、情報Ａと情報Ｂの間には親子関係があり、情報Ａと情報Ｃの間には親子関係があり、情報Ｃと情報Ｄの間には親子関係がある。図３に示した情報Ａ、Ｂ、ＣおよびＤのそれぞれと対応付けられている各関係情報をまとめたものを図４に示す。情報Ａに対応付けられている関係情報が図４に示した関係情報３１３Ａである。関係情報３１３Ａは、情報ＡがＦａｃｔｏｒｙ（Ｘ）に属していることを示している。情報Ｂに対応付けられている関係情報が図４に示した関係情報３１３Ｂである。関係情報３１３Ｂは、情報Ｂが情報Ａに属していること、すなわち、情報Ａとの間に親子関係があることを示している。情報Ｃに対応付けられている関係情報が図４に示した関係情報３１３Ｃである。関係情報３１３Ｃは、情報Ｃが情報Ａに属していることを示している。情報Ｄに対応付けられている関係情報が図４に示した関係情報３１３Ｄである。関係情報３１３Ｄは、情報Ｄが情報Ｃに属していることを示している。なお、図４に示した関係情報３１３の構成は一例であり、構成部品情報３１１同士の関係が分かる情報、すなわち、各構成部品情報３１１が他のどの構成部品情報３１１と親子関係にあるのかが分かる情報であればどのような構成であってもよい。
【００２６】
また、上述したように、構成部品情報３１１、設定情報３１２および関係情報３１３は相互に対応付けられた状態でデータ保持部３１に格納されているが、これらの情報を対応付ける方法はどのような方法を用いてもよい。例えば、対応付けたい構成部品情報３１１、設定情報３１２および関係情報３１３に対して同じ識別情報（ＩＤ：Identification）を付与して対応付ける方法が考えられるがこれに限定するものではない。
【００２７】
データサーバ３０のユーザデータ保持部３２は、情報管理装置１のユーザの情報、具体的には、情報管理装置１の使用を許可するユーザに付与されているユーザＩＤ、パスワード、アクセス権などの情報を保持する。
【００２８】
次に、情報管理装置１を実現するハードウェアの構成について説明する。情報管理装置１は、図５に示したハードウェア２００、すなわち、プロセッサ２０１、メモリ２０２、表示装置２０３、入力装置２０４、外部メモリインタフェース２０５、ネットワークインタフェース２０６および記憶装置２０７により実現することができる。ハードウェア２００は、例えばパーソナルコンピュータである。
【００２９】
プロセッサ２０１は、ＣＰＵ（Central  Processing  Unit、中央処理装置、処理装置、演算装置、マイクロプロセッサ、マイクロコンピュータ、プロセッサ、ＤＳＰともいう）、システムＬＳＩ（Large  Scale  Integration）などである。プロセッサ２０１は、情報管理装置１として動作するためのプログラムをメモリ２０２から読み出して実行することにより、情報処理部１０を実現する。
【００３０】
メモリ２０２は、ＲＡＭ（Random  Access  Memory）、ＲＯＭ（Read  Only  Memory）、フラッシュメモリー、ＥＰＲＯＭ（Erasable  Programmable  Read  Only  Memory）、ＥＥＰＲＯＭ（Electrically  Erasable  Programmable  Read-Only  Memory）等の、不揮発性または揮発性の半導体メモリ、磁気ディスク、フレキシブルディスク、光ディスク、コンパクトディスク、ミニディスクまたはＤＶＤ（Digital  Versatile  Disc）などである。メモリ２０２は、プロセッサ２０１が情報管理装置１として動作するためのプログラムを保持する。また、メモリ２０２は、プロセッサ２０１が各種処理を実行する際のワーク用メモリとしても使用される。
【００３１】
表示装置２０３は、液晶モニタなどであり、図１に示した表示部２１を構成する。入力装置２０４は、マウス、キーボードなどであり、図１に示した入力部２２を構成する。外部メモリインタフェース２０５は、外部メモリを接続するためのインタフェースであり、図１に示した外部メモリ接続部２３を構成する。ネットワークインタフェース２０６は、ネットワークインタフェースカードなどであり、情報管理装置１が外部の他の装置と通信する際に使用される。記憶装置２０７はハードディスクなどでありでデータサーバ３０のデータ保持部３１およびユーザデータ保持部３２を構成する。
【００３２】
つづいて、情報管理装置１の動作について説明する。本実施の形態では、情報管理システム１００のデータサーバ３０に対して構成部品情報を新たに登録する動作である構成部品情報登録動作、データサーバ３０に登録済みの構成部品情報の中から必要な構成部品情報を探して表示部２１へ表示等を行う動作である構成部品情報閲覧動作、データサーバ３０に登録済みの関係情報および設定情報を変更する情報変更動作、その他の動作に分けて説明を行う。
【００３３】
＜構成部品情報登録動作＞
情報管理装置１は、ユーザが入力部２２を利用して予め決められた操作、具体的には情報管理装置１の使用を開始するための操作が実行されたことを検出すると、動作開始の初期画面を表示部２１に表示する。予め決められた操作は、動作開始のトリガとなりうるものであればどのような操作でも構わない。この操作としては、入力部２２としてのキーボードに設けられた特定の操作ボタンを押下する、表示部２１に対して動作開始を指示するためのアイコンを予め表示させておき、このアイコンを入力部２２であるマウスを使用してクリックする、などが考えられるがこれらに限定するものではない。
【００３４】
表示部２１に表示させる初期画面は、例えば、図６に示した画面とする。情報管理装置１は、図６に示した画面を表示部２１に表示する場合、ユーザＩＤ入力領域６１およびパスワード入力領域６２に情報を入力するための操作が実行されるのを待つ。情報管理装置１は、情報入力のための操作完了を検出すると入力されたユーザＩＤおよびパスワードが正しいか否かを判定し、判定結果に応じた画面を表示部２１に表示する。ユーザＩＤおよびパスワードが正しい場合、情報管理装置１は、例えば図７に示した画面を表示部２１に表示する。ユーザＩＤおよびパスワードをユーザに入力させて認証を行うのは、情報管理装置１を利用可能なユーザを特定のユーザに限定して情報管理装置１が不正使用されることなどを防止するためである。なお、情報管理装置１は、図６に示した画面を表示部２１に表示してユーザＩＤおよびパスワードを入力させる動作を省略し、図７に示した画面を動作開始後すぐに表示する構成としてもよい。
【００３５】
図７に示した画面は、ユーザが使用する機能すなわち情報管理装置１が実行する動作をユーザに選択させるためのメニュー画面である。図７に示したメニュー画面は、登録ボタン、閲覧ボタンおよび終了ボタンを含んで構成されているが表示内容をこれに限定するものではない。情報管理装置１は、ユーザにより登録ボタンが押下すなわちクリックされると、構成部品情報の登録動作を開始する。なお、情報管理装置１は、閲覧ボタンが押下された場合はデータサーバ３０に登録済みの構成部品情報を閲覧する動作を開始する。また、情報管理装置１は、終了ボタンが押下されるとメニュー画面の表示を終了する。この場合、情報管理装置１は、情報管理装置１の使用を開始するための操作がユーザにより実行される前の状態に戻る。
【００３６】
情報管理装置１は、構成部品情報の登録動作を開始すると、まず、図８に示した画面を表示部２１に表示し、構成部品情報の登録先とする部品グループの名称をユーザに入力させる。部品グループの名称は、構成部品情報と関係づけられる関係情報を生成する際に必要な情報である。図４に示した関係情報の場合、Factory(X)が部品グループ名称に該当する。
【００３７】
情報管理装置１は、部品グループ名称の登録操作が行われると、すなわち、部品グループ名称入力領域８１に情報が入力され、登録ボタンが押下されると、ユーザによる構成部品情報の登録操作を受け付け可能な状態となる。なお、情報管理装置１は、図８に示した画面に表示している終了ボタンが押下されると、表示部２１の表示を図７に示した画面に戻す。
【００３８】
図９は、構成部品情報の登録操作が行われた場合の情報管理装置１の動作例、すなわち、部品グループ名称の登録操作が行われた後の情報管理装置１の動作例を示す図である。
【００３９】
情報管理装置１は、部品グループ名称の登録操作が行われた場合、図９（ａ）に示す内容の画面を表示部２１に表示する。なお、図９に示した表示例は、部品グループ名称として「Ｘ−Ｓｙｓｔｅｍ」が入力された場合の表示例であり、表示領域９１に部品グループ名称９３を表示する。
【００４０】
情報管理装置１は、次に、登録する構成部品情報がユーザにより選択され、選択された構成部品情報の登録開始が指示されるのを待つ。ユーザが構成部品情報の選択および登録開始の指示を行うための操作方法についてはどのようなものであってもよい。ここでは操作方法の一例を示す。構成部品情報の選択および登録開始の指示を行う場合、ユーザは、入力部２２を使用し、図９（ｂ）に示した手順で構成部品情報の登録操作を行う。具体的には、ユーザは、まず、表示部２１に構成部品情報選択用の画面９５を別途表示させる操作を行い、次に、この画面９５に登録対象の構成部品情報を表示させた上で、１つ以上の構成部品情報をドラッグ・アンド・ドロップにより表示領域９２まで持ってくる操作を行う。図９（ｂ）に示した例では、ユーザが構成部品情報Ａを選択して登録開始を指示する場合の操作を示している。
【００４１】
なお、図９（ｂ）の画面９５には構成部品情報Ａ、ＢおよびＣを表示しており、これらは同じフォルダに格納されているように見えているが、説明の便宜上、このようにしている。実際には、構成部品情報Ａが格納されているフォルダと構成部品情報ＢおよびＣが格納されているフォルダとは異なるものとする。ここでは、構成部品情報Ａが最上位のフォルダに格納され、構成部品情報Ａが格納されているフォルダの１つ下の階層のフォルダに構成部品情報ＢおよびＣが格納されているものとして説明を行う。構成部品情報Ａ、ＢおよびＣは、情報管理装置１内の図示を省略している内部メモリまたは外部メモリ接続部２３に接続されている外部メモリに格納されている。
【００４２】
情報管理装置１は、登録する構成部品情報がユーザにより選択されると、選択された情報をデータサーバ３０に登録する。情報管理装置１は、選択された構成部品情報をデータサーバ３０に登録する際、登録する構成部品情報に対応付けられた関係情報の有無を確認し、対応付けられた関係情報が存在していればそれも一緒にデータサーバ３０に登録する。また、登録する構成部品情報に対応付けられた関係情報が存在しない場合、情報管理装置１は、関係情報を生成して構成部品情報と対応付けを行った上で、構成部品情報および生成した関係情報をデータサーバ３０に登録する。また、情報管理装置１は、登録する構成部品情報に対応付けられている設定情報の有無についても確認し、対応付けられている設定情報が存在していれば、それを構成部品情報および関係情報と一緒にデータサーバ３０に登録する。
【００４３】
ここで、情報管理装置１が、データサーバ３０に登録する構成部品情報に対応付けられた関係情報の有無を確認し、構成部品情報および関係情報をデータサーバ３０に登録する動作の詳細について、図１０および図１１を用いて説明する。
【００４４】
図１０は、情報管理装置１が構成部品情報および関係情報をデータサーバ３０に登録する動作の一例を示すフローチャートである。
【００４５】
情報管理装置１は、ユーザが選択した構成部品情報の登録開始の指示を受けると（ステップＳ１）、登録対象の構成部品情報と対応付けられている関係情報の有無を確認する（ステップＳ２）。情報管理装置１が該当する関係情報の有無を確認する範囲は、登録対象の構成部品情報が格納されている記憶領域すなわちフォルダとし、このフォルダの中に該当する関係情報が存在するか否かを確認する。同じフォルダの中に登録対象の構成部品情報と対応付けられた関係情報が存在する場合（ステップＳ２：Ｙｅｓ）、情報管理装置１は、登録対象の構成部品情報と対応付けられている関係情報を解析して（ステップＳ４）、データサーバ３０に登録されている構成部品情報同士の関係を確認する。次に、情報管理装置１は、ユーザが選択した構成部品情報およびこれに対応付けられている関係情報をデータサーバ３０に登録する（ステップＳ５）。具体的には、情報管理装置１は、構成部品情報および関係情報をデータ保持部３１に格納する。なお、同じフォルダの中に登録対象の構成部品情報と対応付けられた関係情報が存在するケースとしては、例えば、Ｙ−Ｓｙｓｔｅｍの構成部品情報として情報管理システム１００に登録済みの構成部品情報を一旦外部メモリなどへ出力し、それをＸ−Ｓｙｓｔｅｍの構成部品情報として登録する場合などが考えられる。後述するように、情報処理装置１は、情報管理システム１００に登録済みの構成部品情報を一旦外部メモリなどへ出力する場合、外部へ出力する構成部品情報と対応付けられている関係情報および設定情報も一緒に、対応付けられた状態を維持したまま出力する。
【００４６】
情報管理装置１は、登録対象の構成部品情報と対応付けられている関係情報が存在しない場合（ステップＳ２：Ｎｏ）、関係情報を生成し（ステップＳ３）、生成した関係情報を解析して（ステップＳ４）、データサーバ３０に登録されている構成部品情報同士の関係を確認する。次に、情報管理装置１は、生成した関係情報を登録対象の構成部品情報と対応付けてデータサーバ３０に登録する（ステップＳ５）。なお、情報管理装置１において、情報処理部１０の登録処理部１３が上記のステップＳ２、Ｓ３およびＳ５の処理を行い、情報解析部１１が上記のステップＳ４の処理を行う。登録処理部１３は、上記のステップＳ３において、図１１に示した手順で関係情報を生成する。図１１は、情報管理装置１の登録処理部１３が関係情報を生成する動作の一例を示すフローチャートである。
【００４７】
登録処理部１３は、関係情報を生成する場合、すなわち、上記のステップＳ２における判定結果が「Ｎｏ」の場合、登録対象の構成部品情報が格納されているフォルダの上位階層のフォルダに他の構成部品情報があるか否かを確認する（ステップＳ３１）。ここでの「上位階層のフォルダ」とは、登録対象の構成部品情報が格納されているフォルダの１つ上の階層のフォルダである。
【００４８】
登録処理部１３は、上位階層のフォルダに他の構成部品情報が存在する場合（ステップＳ３１：Ｙｅｓ）、データサーバ３０に登録済みの他の構成部品情報が複数存在しているか否かを確認する（ステップＳ３２）。
【００４９】
登録処理部１３は、データサーバ３０に登録済みの他の構成部品情報が複数ではなく１つの場合（ステップＳ３２：Ｎｏ）、上位階層フォルダの他の構成部品情報のうち、データサーバ３０に登録済みの他の構成部品情報が親の情報であることを示す関係情報を生成する（ステップＳ３５）。一例として、登録対象の構成部品情報が情報Ｄ１、登録済みの上位階層の構成部品情報が情報Ｄ０の場合、登録処理部１３は、情報Ｄ１の親の情報が情報Ｄ０であることを示す内容の関係情報を生成する。関係情報のフォーマットを図４に示したものとした場合、登録処理部１３は、「ｂｅｌｏｎｇｓ  ｔｏ  Ｄ０」を情報Ｄ１の関係情報として生成する。なお、親の構成部品情報が分かればよいため、登録処理部１３は、親の構成部品情報を一意に示す情報「Ｄ０」などを関係情報として生成してもよい。
【００５０】
一方、登録処理部１３は、データサーバ３０に登録済みの他の構成部品情報が複数の場合（ステップＳ３２：Ｙｅｓ）、親とする他の構成部品情報をユーザに選択されるのを待ち、ユーザは親とする他の構成部品情報を選択する（ステップＳ３３）。このステップＳ３３において、登録処理部１３は、登録対象の構成部品情報の親とすることが可能な他の構成部品情報、すなわち、上位階層フォルダの他の構成部品情報のうち、データサーバ３０に登録済みの他の構成部品情報を、表示部２１に表示し、表示した他の構成部品情報の中の１つが選択されるのを待つ。
【００５１】
登録処理部１３は、親とする他の構成部品情報がユーザに選択されると、選択された他の構成部品情報が親の情報であることを示す関係情報を生成する（ステップＳ３４）。
【００５２】
また、登録処理部１３は、上位階層のフォルダに他の構成部品情報が存在しない場合（ステップＳ３１：Ｎｏ）、親となる他の構成部品情報が存在しないことを示す関係情報を生成する（ステップＳ３６）。
【００５３】
登録処理部１３は、以上のステップＳ３１からＳ３６に示した処理を実行することにより関係情報を生成する。
【００５４】
図１０に示したフローチャートの説明に戻り、情報管理装置１は、ステップＳ１からＳ５に示した処理を実行して構成部品情報および関係情報の登録が終了すると、次に、情報管理装置１は、ステップＳ４を実行して得られた解析結果に従って、データサーバ３０に登録されている構成部品情報を、構成部品情報同士の関係が視認可能な形式で表示部２１へ表示する（ステップＳ６）。なお、表示部２１へ表示する構成部品情報は、ステップＳ５で登録した構成部品情報、およびこの構成部品情報と関係のある他の構成部品情報とする。すなわち、情報管理装置１は、ステップＳ５で登録した構成部品情報と同じ部品グループの構成部品情報を表示部２１へ表示する。なお、情報管理装置１において、情報処理部１０の情報解析部１１が上記のステップＳ６の処理を行う。情報解析部１１は、データサーバ３０が保持している各構成部品情報を、他の構成部品情報との関係が視認可能な形式で表現して表示部２１に表示する表示画面生成部である。
【００５５】
図９の説明に戻り、図９（ｂ）に示した操作が実行され、構成部品情報Ａの登録が終了すると、情報管理装置１は、図９（ｃ）に示したように、表示領域９２に構成部品情報Ａを表示する。図示した例では、構成部品情報Ａの親となる構成部品情報が存在しないため、情報管理装置１は、部品グループ名称（Ｘ−Ｓｙｓｔｅｍ）の表示のすぐ下に構成部品情報Ａを表示する。なお、「Ａ：」の隣の表示「ｘｘｘｘ」は、構成部品情報Ａと対応付けられている設定情報の内容を示す表示である。
【００５６】
その後、図９（ｄ）に示した操作、すなわち、構成部品情報Ｂの登録開始を指示する操作が行われると、情報管理装置１は、構成部品情報Ｂをデータサーバ３０に登録する。登録動作は上述した構成部品情報Ａの登録動作と同様である。上述したように、構成部品情報Ｂは、構成部品情報Ａが格納されているフォルダの１つ下の階層のフォルダに格納されているため、構成部品情報Ｂに対応付けられる関係情報は、構成部品情報Ｂの親が構成部品情報Ａであることを示す内容となる。
【００５７】
構成部品情報Ｂの登録が終了すると、情報管理装置１は、図９（ｅ）に示したように、データサーバ３０に登録済みの構成部品情報ＡおよびＢを表示領域９２に表示する。このとき、情報管理装置１は、データサーバ３０に登録済みの構成部品情報ＡおよびＢの親子関係が分かるように、各情報を表示する。構成部品情報Ａが親、構成部品情報Ｂが子であるため、情報管理装置１は、子である構成部品情報Ｂの表示を構成部品情報Ａの表示よりも１段下げた形、すなわち、表示の先頭位置を１段下げた形で表示領域９２に表示する。この表示方法は一例であり、データサーバ３０に登録済みの構成部品情報同士の関係が視認できる内容の表示であればどのようなものでもよい。
【００５８】
その後、構成部品情報Ｃの登録開始を指示する操作が行われ、構成部品情報Ｃの登録が終了すると、情報管理装置１は、表示部２１への表示を図９（ｆ）に示した内容に更新する。構成部品情報Ｃの親および構成部品情報Ｂの親は共に構成部品情報Ａであるため、情報管理装置１は、構成部品情報Ｃの表示の先頭を構成部品情報Ｂの表示の先頭に揃える。
【００５９】
なお、データサーバ３０に登録する前の構成部品情報Ａ、ＢおよびＣが同じフォルダに存在していた場合、これらの構成部品情報には親子関係が存在しない。そのため、構成部品情報Ａ、ＢおよびＣのデータサーバ３０への登録が完了した後の画面表示は、図１２に示した内容となる。具体的には、情報管理装置１は、登録した構成部品情報Ａ、ＢおよびＣを同階層に表示する。
【００６０】
また、説明を簡単化するため、図９に示した例では、構成部品情報を１つずつ選択して登録することとしたが、複数の構成部品情報をユーザに選択させ、選択された構成部品情報をまとめて登録することも可能である。複数の構成部品情報が選択された場合、情報管理装置１は、図１０および図１１に示した処理を繰り返し実行し、選択された全ての構成部品情報をデータサーバ３０に登録する。
【００６１】
データサーバ３０に登録されている構成部品情報の表示部２１への表示方法について、図１３および図１４を用いて説明する。図１３および図１４は、構成部品情報の表示例と、構成部品情報に対応付けられた関係情報および設定情報の内容例とを示す図である。
【００６２】
まず、図１３に示した例について説明する。図１３の左側の表示は、「Ｘ−ｓｙｓｔｅｍ」グループに属する構成部品情報として構成部品情報Ａ、Ｂ、ＣおよびＤがデータサーバ３０に登録されている場合の表示部２１への表示例である。図１３の右側の表示は、左側に表示された各構成部品情に対応付けられている関係情報および設定情報の詳細内容である。なお、表示１３１は、各構成部品情報に対応付けられた関係情報から導き出される、各構成部品情報の親子関係を示している。この表示１３１は、関係情報を理解しやすくするために便宜的に記載したものであり、関係情報には含まれない。
【００６３】
構成部品情報Ａに対応付けられている関係情報は「ｂｅｌｏｎｇｓ  ｔｏ  Ｘ−ｓｙｓｔｅｍ」であり、この関係情報は、親となる他の構成部品情報が存在せず、Ｘ−ｓｙｓｔｅｍに属する構成部品情報の中で最も粒度が大きいものであることを示す。情報管理装置１は、構成部品情報Ａが最も粒度の大きい情報であるため、構成部品情報Ａが所属しているグループの名称（Ｘ−ｓｙｓｔｅｍ）のすぐ下に構成部品情報Ａを表示する。また、構成部品情報Ａに対応付けられている設定情報は「ｘｘｘｘ，２０１５／１１／１６，…」である。情報管理装置１は、構成部品情報Ａに対応付けられている設定情報の内容をユーザが容易に把握できるように、構成部品情報Ａの名称の表示「Ａ」の右隣に、「：」を挟んで設定情報の一部または全てを表示する。図１３の例では設定情報の中の「ｘｘｘｘ」を表示するようにしている。
【００６４】
構成部品情報Ｂに対応付けられている関係情報は「ｂｅｌｏｎｇｓ  ｔｏ  Ａ」であり、この関係情報は、構成部品情報Ａが親であることを示す。情報管理装置１は、構成部品情報Ｂの親が構成部品情報Ａであるため、構成部品情報Ａの表示よりも１段下げた形で構成部品情報Ｂを表示する。また、構成部品情報Ｂに対応付けられている設定情報は「ＸＹＺ，２０１５／１１／１６，ＬｉｎｅＡ，Ｘ−ｓｙｓｔｅｍ…」である。情報管理装置１は、構成部品情報Ｂに対応付けられている設定情報の内容をユーザが容易に把握できるように、構成部品情報Ｂの名称の表示「Ｂ」の右隣に、「：」を挟んで設定情報の一部または全てを表示する。
【００６５】
構成部品情報Ｃに対応付けられている関係情報は「ｂｅｌｏｎｇｓ  ｔｏ  Ａ」であり、この関係情報は、構成部品情報Ａが親であることを示す。情報管理装置１は、構成部品情報Ｃの親が構成部品情報Ａであるため、構成部品情報Ａの表示よりも１段下げた形で構成部品情報Ｃを表示する。また、構成部品情報Ｃに対応付けられている設定情報は「ＷＷＷＷ，２０１５／１１／１６，ＬｉｎｅＡ，Ｘ−ｓｙｓｔｅｍ…」である。情報管理装置１は、構成部品情報Ｃに対応付けられている設定情報の内容をユーザが容易に把握できるように、構成部品情報Ｃの名称の表示「Ｃ」の右隣に、「：」を挟んで設定情報の一部または全てを表示する。
【００６６】
構成部品情報Ｄに対応付けられている関係情報は「ｂｅｌｏｎｇｓ  ｔｏ  Ｃ」であり、この関係情報は、構成部品情報Ｃが親であることを示す。情報管理装置１は、構成部品情報Ｄの親が構成部品情報Ｃであるため、構成部品情報Ｃの表示よりも１段下げた形で構成部品情報Ｄを表示する。また、構成部品情報Ｄに対応付けられている設定情報は「Ｍａｎｕａｌ，２０１５／１１／１６，ｆｏｒ  Ｃ，Ｘ−ｓｙｓｔｅｍ…」である。情報管理装置１は、構成部品情報Ｄに対応付けられている設定情報の内容をユーザが容易に把握できるように、構成部品情報Ｄの名称の表示「Ｄ」の右隣に、「：」を挟んで設定情報の一部または全てを表示する。
【００６７】
次に、図１４に示した例について説明する。図１４の左側の表示は、「Ｚ−ｓｙｓｔｅｍ」グループに属する構成部品情報として構成部品情報Ｅ、Ｆ、ＧおよびＨがデータサーバ３０に登録されている場合の表示部２１への表示例である。図１４の右側の表示は、左側に表示された各構成部品情に対応付けられている関係情報および設定情報の詳細内容である。なお、表示１３２は、各構成部品情報に対応付けられた関係情報から導き出される、各構成部品情報の親子関係を示している。この表示１３２は、関係情報を理解しやすくするために便宜的に記載したものであり、関係情報には含まれない。
【００６８】
構成部品情報Ｅに対応付けられている関係情報は「ｂｅｌｏｎｇｓ  ｔｏ  Ｚ−ｓｙｓｔｅｍ」であり、この関係情報は、親となる他の構成部品情報が存在せず、Ｚ−ｓｙｓｔｅｍに属する構成部品情報の中で最も粒度が大きいものであることを示す。情報管理装置１は、構成部品情報Ｅが最も粒度の大きい情報であるため、構成部品情報Ｅが所属しているグループの名称（Ｚ−ｓｙｓｔｅｍ）のすぐ下に構成部品情報Ｅを表示する。また、構成部品情報Ｅに対応付けられている設定情報は「ａｂｃｄｅ，２０１５／１１／１９」である。情報管理装置１は、構成部品情報Ｅに対応付けられている設定情報の内容をユーザが容易に把握できるように、構成部品情報Ｅの名称の表示「Ｅ」の右隣に、「：」を挟んで設定情報の一部または全てを表示する。
【００６９】
構成部品情報Ｆに対応付けられている関係情報は「ｂｅｌｏｎｇｓ  ｔｏ  Ｅ」であり、この関係情報は、構成部品情報Ｅが親であることを示す。情報管理装置１は、構成部品情報Ｆの親が構成部品情報Ｅであるため、構成部品情報Ｅの表示よりも１段下げた形で構成部品情報Ｆを表示する。また、構成部品情報Ｆに対応付けられている設定情報は「ｅｅｅｅｅ，２０１５／１１／２１」である。情報管理装置１は、構成部品情報Ｆに対応付けられている設定情報の内容をユーザが容易に把握できるように、構成部品情報Ｆの名称の表示「Ｆ」の右隣に、「：」を挟んで設定情報の一部または全てを表示する。
【００７０】
構成部品情報Ｇに対応付けられている関係情報は「ｂｅｌｏｎｇｓ  ｔｏ  Ｆ」であり、この関係情報は、構成部品情報Ｆが親であることを示す。情報管理装置１は、構成部品情報Ｇの親が構成部品情報Ｆであるため、構成部品情報Ｆの表示よりも１段下げた形で構成部品情報Ｇを表示する。また、構成部品情報Ｇに対応付けられている設定情報は「ＸＹＺ，２０１５／１１／２０」である。情報管理装置１は、構成部品情報Ｇに対応付けられている設定情報の内容をユーザが容易に把握できるように、構成部品情報Ｇの名称の表示「Ｇ」の右隣に、「：」を挟んで設定情報の一部または全てを表示する。
【００７１】
構成部品情報Ｈに対応付けられている関係情報は「ｂｅｌｏｎｇｓ  ｔｏ  Ｆ」であり、この関係情報は、構成部品情報Ｆが親であることを示す。情報管理装置１は、構成部品情報Ｈの親が構成部品情報Ｆであるため、構成部品情報Ｆの表示よりも１段下げた形で構成部品情報Ｈを表示する。また、構成部品情報Ｈに対応付けられている設定情報は存在しない。そのため、情報管理装置１は、構成部品情報Ｈの名称の表示「Ｈ」の右隣には「：」のみを表示し、設定情報の表示をブランクとする。
【００７２】
情報管理装置１は、データサーバ３０に登録されている構成部品情報を表示する際、対応付けられている設定情報が存在していればその内容も併せて表示するため、設定情報の内容を容易に確認できるとともにその構成部品情報に対応している設定情報であるかを容易に知ることができる。
【００７３】
＜構成部品情報閲覧動作＞
次に、構成部品情報をユーザに閲覧させる場合の動作について説明する。情報管理装置１は、図７に示したメニュー画面を表示部２１に表示させた状態で閲覧ボタンの押下を検出すると、構成部品情報閲覧動作を開始する。図１５を参照しながら構成部品情報の閲覧動作を説明する。図１５は、構成部品情報の閲覧動作の一例を示す図であり、閲覧したい構成部品情報をキーワード検索により検索して閲覧する場合の動作を示している。
【００７４】
情報管理装置１は、構成部品情報閲覧動作を開始すると、まず、図１５に示したキーワード入力画面１５１を表示部２１へ表示し、キーワードの入力および検索動作の開始が指示されるのを待つ。情報管理装置１は、キーワード入力画面１５１に対して、キーワードを入力するためのテキストボックスに加えて、登録済みの構成部品情報を、関係性を有する構成部品情報ごとにまとめて表示する。図１５のキーワード入力画面１５１は、Ｘ−Ｓｙｓｔｅｍに関係する構成部品情報群、Ｚ−Ｓｙｓｔｅｍに関係する構成部品情報群をそれぞれ１つのボックスとして表示した例である。ここでは、Ｘ−Ｓｙｓｔｅｍに関係する構成部品情報群が図１３に示した構成部品情報Ａ、Ｂ、ＣおよびＤ、Ｚ−Ｓｙｓｔｅｍに関係する構成部品情報群が図１４に示した構成部品情報Ｅ、Ｆ、ＧおよびＨであるものとして説明を続ける。
【００７５】
情報管理装置１は、キーワードの入力および検索動作の開始が指示されると、入力されたキーワードを有する設定情報をデータサーバ３０のデータ保持部３１から探し出し、探し出した設定情報と対応付けられている構成部品情報の表示を含んだ検索結果表示画面１５２を表示部２１に表示する。図１５に示した検索結果表示画面１５２は、“ＸＹＺ”がキーワードとして入力された場合の検索結果を示す表示画面である。図１３および図１４に示したように、Ｘ−Ｓｙｓｔｅｍに関係する構成部品情報群およびＺ−Ｓｙｓｔｅｍに関係する構成部品情報群のうち、“ＸＹＺ”を含む設定情報と対応付けれれているものは構成部品情報ＢおよびＧである。そのため、情報管理装置１は、構成部品情報ＢおよびＧを検索結果表示画面１５２に表示する。情報管理装置１において、入力されたキーワードを有する設定情報を検索する処理は検索処理部１２が実行する。検索処理そのものは一般的なキーワード検索処理と同様であるため、説明は省略する。ユーザは、検索結果として表示されている構成部品情報ＢまたはＧを入力部２２であるマウスを用いてクリックするなどして選択し、選択した構成部品情報と関係のある他の構成部品情報を確認することが可能である。
【００７６】
情報管理装置１は、検索結果表示画面１５２に表示している検索結果の１つが選択されると、選択された構成部品情報およびこれと関連する他の構成部品情報を情報確認画面１５３として表示部２１に表示する。図１５に示した情報確認画面１５３は、検索結果の中から構成部品情報Ｂが選択された場合の表示例である。構成部品情報ＢはＸ−Ｓｙｓｔｅｍに関係する構成部品情報であるため、情報管理装置１は、Ｘ−Ｓｙｓｔｅｍに関係する全ての構成部品情報を、構成部品情報同士の関係が分かる形で表示部２１に表示する。情報管理装置１は、図１３および図１４を用いて説明した表示方法に従って情報確認画面表示１５３を表示する。
【００７７】
このように、情報管理装置１は、検索機能を有するため、ユーザは必要な構成部品情報を容易に見つけ出すことが可能となり、構成部品情報を再利用しやすくなる。
【００７８】
なお、情報管理装置１は、キーワード入力画面１５１を表示部２１に表示している状態において、構成部品情報群のボックス（Ｘ−Ｓｙｓｔｅｍを表示したボックス、Ｚ−Ｓｙｓｔｅｍを表示したボックス）がクリックされるなどして１つの構成部品情報群が選択された場合、選択された構成部品情報群を展開して情報確認画面表示１５３を表示する。
【００７９】
＜情報変更動作＞
つづいて、データサーバ３０に登録済みの関係情報および設定情報を変更する動作について説明する。
【００８０】
（関係情報変更動作）
まず、構成部品情報同士の関係を変更する動作、すなわち、構成部品情報に対応付けられた関係情報を変更する動作について説明する。
【００８１】
情報管理装置１は、関連性を有する複数の構成部品情報を表示部２１に表示させている状態で構成部品情報同士の関係を変更するための操作が行われたことを検知すると、操作内容に従って表示部２１への画面表示内容を更新するとともに、データサーバ３０に登録されている関係情報を更新する。情報管理装置１において、関係情報の更新は関係情報編集部１５が行う。
【００８２】
ユーザが構成部品情報同士の関係を変更するための操作としては、図１６および図１７に示した操作が考えられるがこれに限定するものではない。ユーザは、構成部品情報同士の関係を変更する場合、変更したい構成部品情報を表示部２１へ表示させた状態で、ドラック・アンド・ドロップにより構成部品情報の関係を変更する。ユーザは、変更したい構成部品情報を表示部２１へ表示させる場合、上述した構成部品情報閲覧動作で示したキーワード検索などを使用する。
【００８３】
図１６に示した操作例は、同一階層の構成部品情報Ａ、ＢおよびＣのうち、構成部品情報Ｃを構成部品情報Ｂの子の情報に変更する場合の操作である。図１７に示した操作例は、同一階層の構成部品情報Ａ、ＢおよびＣのうち、構成部品情報Ｃを構成部品情報Ａの子の情報に変更する場合の操作である。情報管理装置１は、ユーザが行った操作内容に従い、表示領域９２の表示内容を更新するとともに、関係情報を更新する。図１６および図１７に示した操作を検出した場合、情報管理装置１は、構成部品情報Ｃに対応付けられている関係情報を更新する。具体的には、図１６に示した例では、情報管理装置１は、構成部品情報Ｃに対応付けられている関係情報を、構成部品情報Ｂが親であることを示す内容に更新する。図１７に示した例では、情報管理装置１は、構成部品情報Ｃに対応付けられている関係情報を、構成部品情報Ａが親であることを示す内容に更新する。
【００８４】
このように、情報管理装置１は、構成部品情報同士の関係を簡単な操作でユーザに変更させることができる。
【００８５】
１つの構成部品情報を操作する例を示したが、複数の構成部品情報を選択して一緒に操作することも可能とする。例えば、構成部品情報ＢおよびＣを選択し、これらを構成部品情報Ａの子の情報に変更できるようにする。
【００８６】
また、関係情報の変更は、図９を用いて説明した構成部品情報を登録する動作の途中でも可能とする。すなわち、情報管理装置１は、図９の（ｅ）、（ｆ）またはこれらに相当する状態において、上述した、関係情報を変更するための操作をユーザが実行することを許容する。情報管理装置１は、図９の（ｅ）、（ｆ）またはこれらに相当する状態において、関係情報を変更するための操作が行われると、操作内容に従い、表示領域９２に表示されている構成部品情報同士の関係を変更する。操作内容に従い情報管理装置１が変更する対象は、表示領域９２の表示内容および関係情報である。
【００８７】
次に、関係情報変更動作の変形例を説明する。情報管理装置１は、ある部品グループの構成部品情報としてデータサーバ３０に登録済みの構成部品情報を複製して他の部品グループの構成部品情報として新たに登録することが可能である。
【００８８】
情報管理装置１は、関連性を有する複数の構成部品情報を表示部２１に表示させている状態で、１つ以上の構成部品情報が選択され、さらに、複製を指示する操作および複製先を指示する操作が行われたことを検知すると、操作内容に従って表示部２１への画面表示内容を更新するとともに、データサーバ３０に登録されている構成部品情報、設定情報および関係情報を更新する。動作例を図１８に示す。複製する構成部品情報を選択する操作方法、選択した構成部品情報の複製を指示する操作方法についてはどのような方法としてもよい。
【００８９】
図１８は、構成部品情報を複製する動作の一例を示す図である。図１８に示した例では、まず、情報管理装置１は、Ｘ−Ｓｙｓｔｅｍの構成部品情報を画面１８１として表示部２１に表示している状態で構成部品情報ＣおよびＤの選択および複製が指示されたことを検知する。次に、情報管理装置１は、Ｚ−Ｓｙｓｔｅｍの構成部品情報を画面１８２として表示部２１に表示している状態で構成部品情報ＣおよびＤの複製先が指定されたことを検知する。具体的には、情報管理装置１は、複製した構成部品情報ＣおよびＤが構成部品情報Ｅの子の情報に指定されたことを検知する。その結果、情報管理装置１は、表示部２１の表示内容を画面１８３に更新するとともに、データサーバ３０に登録されている情報を更新する。具体的には、情報管理装置１は、複製対象として選択された構成部品情報Ｃ，Ｄと、これらの構成部品情報と対応付けられている設定情報および関係情報を複製し、Ｚ−Ｓｙｓｔｅｍに関連する情報としてデータサーバ３０に追加登録する。情報管理装置１は、関係情報をデータサーバ３０に追加登録する際、その内容を追加登録先に応じて更新する。図１８に示した例では、Ｚ−Ｓｙｓｔｅｍに追加登録された構成部品情報Ｃに対応付けられている関係情報を「ｂｅｌｏｎｇｓ  ｔｏ  Ｅ」に更新し、Ｚ−Ｓｙｓｔｅｍに追加登録された構成部品情報Ｄに対応付けられている関係情報については「ｂｅｌｏｎｇｓ  ｔｏ  Ｃ」のまま更新しない。関係情報の更新は、関係情報編集部１５が行う。
【００９０】
（設定情報変更動作）
次に、データサーバ３０に登録済みの設定情報を変更する動作について説明する。
【００９１】
情報管理装置１は、関連性を有する複数の構成部品情報を表示部２１に表示させている状態で設定情報を変更するための操作が行われたことを検知すると、操作内容に従って表示部２１への画面表示内容を変更するとともに、データサーバ３０に登録されている設定情報を変更する。情報管理装置１において、設定情報の変更は設定情報編集部１４が行う。
【００９２】
ユーザが構成部品情報同士の関係を変更するための操作としては、図１６および図１７に示した操作が考えられるがこれに限定するものではない。ユーザは、構成部品情報同士の関係を変更する場合、変更したい構成部品情報を表示部２１へ表示させた状態で、ドラック・アンド・ドロップにより構成部品情報の関係を変更する。ユーザは、変更したい構成部品情報を表示部２１へ表示させる場合、上述した構成部品情報閲覧動作で示したキーワード検索などを使用する。
【００９３】
設定情報を変更する操作の一例を図１９に示す。情報管理装置１は、表示領域９２に表示している設定情報をユーザに直接修正させる方法（修正方法１）および設定情報を別の修正作業用画面１９１に表示して修正させる方法（修正方法２）を実行可能とする。修正作業用画面１９１は、ユーザにより構成部品情報が選択され、設定情報の修正開始を指示する操作が行われたことを検知した場合に表示する。設定情報の内容を変更するための操作は一般的なテキスト編集のための操作と同じであるため、説明を省略する。
【００９４】
（関係情報および設定情報の同時変更動作）
つづいて、データサーバ３０に登録済みの構成部品情報に対応付けられた設定情報および関係情報を同時に変更する動作について説明する。
【００９５】
情報管理装置１は、関連性を有する複数の構成部品情報を表示部２１に表示させている状態で関連情報および設定情報の同時変更動作を開始するための操作が行われたことを検知すると、関連情報および設定情報を変更する動作を開始する。この動作について図２０を参照しながら説明する。図２０は、関係情報および設定情報を同時に変更する動作の一例を示す図である。
【００９６】
図２０に示した例では、まず、情報管理装置１は、Ｘ−Ｓｙｓｔｅｍの構成部品情報を画面２１１として表示部２１に表示している状態で構成部品情報ＣおよびＤが選択され、さらに、編集開始が指示されたことを検知する。編集開始が指示された場合、情報管理装置１は、関係情報および設定情報の編集画面２１２を表示部２１に表示し、ユーザによる関係情報および設定情報の編集操作を受け付ける。ユーザが行う編集操作は一般的なテキスト編集のための操作と同じであるため、説明を省略する。
【００９７】
情報管理装置１は、編集画面２１２の編集終了ボタンが押下されたことを検知すると、表示部２１への編集画面２１２の表示を終了し、編集後の関係情報および設定情報の登録先を選択させるための登録先選択画面２１３を表示部２１に表示する。登録先選択画面２１３を表示部２１に表示した状態の情報管理装置１は、編集後の関係情報および設定情報の登録先として既存の構成部品情報グループまたは新しい構成部品情報グループがユーザにより選択されるのを待つ。
【００９８】
情報管理装置１は、登録先がユーザにより選択されたことを検知した場合、選択された登録先に応じた内容の画面を表示部２１に表示するとともにデータサーバ３０に登録されている情報を更新する。
【００９９】
既存の構成部品情報グループが選択された場合、情報管理装置１は、編集後の関係情報および設定情報を選択された構成部品情報グループに登録するとともに、表示部２１への表示内容を画面２１４に更新する。画面２１４は、選択された構成部品情報グループに登録されている構成部品情報の表示画面である。編集後の関係情報および設定情報の登録先として元の構成部品情報グループが指定された場合、情報管理装置１は、編集後の関係情報および設定情報を編集前の関係情報および設定情報に上書する。図２０に示した例では、登録先としてＺ−Ｓｙｓｔｅｍが選択された場合に、編集後の関係情報および設定情報を編集前の関係情報および設定情報に上書する。
【０１００】
編集後の関係情報および設定情報の登録先として元の構成部品情報グループとは異なる構成部品情報グループが選択された場合、情報管理装置１は、編集後の関係情報および設定情報と対応付けられている構成部品情報を複製し、編集後の関係情報および設定情報とともに、選択された構成部品情報グループに追加登録する。図２０に示した例では、登録先としてＺ−Ｓｙｓｔｅｍが選択された場合に、複製した構成部品情報、編集後の関係情報および設定情報をＺ−Ｓｙｅｔｅｍに追加登録する。なお、関係情報および設定情報が編集された場合でも、関係情報、設定情報および構成部品情報の対応関係は変化しない。そのため、編集後の関係情報および設定情報と対応付けられている構成部品情報と、編集前の関係情報および設定情報と対応付けられている構成部品情報とは同じ構成部品情報である。
【０１０１】
なお、ユーザによる操作ミスなどにより、編集後の関係情報と編集後の登録先との整合性が取れなくなる可能性がある。例えば、図２０に示した動作において、部品Ｃ（構成部品情報Ｃ）の親とされている他の構成部品情報が登録先として選択された構成部品情報グループに存在しないケース、部品Ｃの親に指定した構成部品情報の粒度が部品Ｃの粒度よりも小さいケース、などが発生し得る。このようなケースが発生した場合、情報管理装置１は、登録先として選択された構成部品情報グループへの登録は行わずに、警告画面を表示部２１に表示するなどしてユーザに再編集を促す。ユーザに再編集を促す通知を行った後、情報管理装置１は、登録先選択画面２１３または編集画面２１２を表示部２１に表示する。
【０１０２】
新しい構成部品情報グループが選択された場合、情報管理装置１は、編集後の関係情報および設定情報の登録先とする構成部品情報グループ（新しい構成部品情報グループ）の名称をユーザに入力させるため、画面２１５を表示部２１に表示する。情報管理装置１は、ユーザによる構成部品情報グループの名称入力が終了したことを検知した場合、編集後の関係情報および設定情報を、名称が決まった新しい構成部品情報グループに登録する。このとき、情報管理装置１は、編集後の関係情報および設定情報と対応付けられている構成部品情報を複製し、新しい構成部品情報グループに登録する。すなわち、情報管理装置１は、編集後の関係情報および設定情報と構成部品情報（複製した構成部品情報）とを新しい構成部品情報グループに登録する。なお、関係情報および設定情報が編集された場合でも、関係情報、設定情報および構成部品情報の対応関係は変化しない。そのため、編集後の関係情報および設定情報と対応付けられている構成部品情報と、編集前の関係情報および設定情報と対応付けられている構成部品情報とは同じ構成部品情報である。このように、ユーザは、編集後の関係情報および設定情報の登録先として新しい構成部品情報グループを選択することにより、データサーバ３０に登録済みの構成部品情報を流用して他の構成部品情報グループを作成することが可能である。
【０１０３】
＜その他の動作＞
情報管理装置１は、データサーバ３０に登録されている構成部品情報３１１を外部へ出力することが可能である。情報管理装置１は、データサーバ３０に登録されている構成部品情報３１１の外部への出力を指示する操作がユーザにより行われたことを検知した場合、ユーザにより指定された構成部品情報３１１をこれと対応付けられている設定情報３１２および関係情報３１３とともに、ユーザにより指定された外部の記憶領域、例えば、外部メモリ接続部２３に接続されている外部メモリ内の特定の領域へ出力する。ユーザは、外部へ出力する構成部品情報３１１を選択する場合、構成部品情報閲覧動作で説明した手順などを使用して外部へ出力させたい構成部品情報３１１を表示部２１に表示させ、表示させた構成部品情報の１つ以上を選択する。情報管理装置１がパーソナルコンピュータで実現されている場合、情報管理装置１は、構成部品情報３１１、設定情報３１２および関係情報３１３の出力先として、パーソナルコンピュータに内蔵されているハードディスクの特定の記憶領域をユーザが指定できるようにしてもよい。構成部品情報３１１、設定情報３１２および関係情報３１３の出力先が外部メモリの場合、外部メモリ接続部２３が情報出力部として動作する。構成部品情報３１１、設定情報３１２および関係情報３１３の出力先が情報管理装置１内部のハードディスクの場合、出力部２５が情報出力部として動作する。
【０１０４】
また、情報管理装置１は、ユーザごとに個別にアクセス権を設定し、ユーザごとに使用できる機能を制限するようにしてもよい。アクセス権の設定は、情報管理システム１００の管理者などが設定できるようにする。情報管理装置１は、動作開始時のユーザの認証動作において、管理者権限を有するユーザであると判断した場合、アクセス権の設定を許可する。情報管理装置１は、管理者権限を有するユーザがアクセス権の設定開始操作を行ったことを検知した場合、アクセス権設定用のメニュー画面を表示部２１に表示する。情報管理装置１は、例えば、図２１に示したメニュー画面を表示部２１に表示し、ユーザＩＤ入力領域６１およびパスワード入力領域６２に必要な情報が入力され、選択ボタン６３の操作によりアクセス権が指定されると、入力された情報をデータサーバ３０のユーザデータ保持部３２に登録する。アクセス権は、データサーバ３０に登録されている情報の閲覧のみを許可するレベルと、データサーバ３０への情報の登録、データサーバ３０に登録されている情報の閲覧および編集など全ての機能の使用を許可するレベルとの２段階の設定とすることが考えられるがこれに限定するものではない。情報管理装置１においては、ユーザ管理部２４がアクセス権の設定動作を行う。
【０１０５】
以上のように、本実施の形態にかかる情報管理装置を含んで構成された情報管理システムは、ＦＡの設備に関する情報が部品化された状態の情報である構成部品情報を管理し、管理対象の各構成部品情報には、他の構成部品情報との親子関係が分かるように構成された関係情報を対応付けることとした。また、情報管理装置は、情報管理システムで管理している各構成部品情報を表示部に表示する際、各構成部品情報に対応付けられている関係情報に基づいて、構成部品情報同士の親子関係を表示画面上で再現することとした。これにより、情報管理装置システムで管理されている構成部品情報同士の関係をユーザが容易に知ることができ、ＦＡの設備で使用する情報を効率的に再利用することが可能となる。
【０１０６】
また、本実施の形態にかかる情報管理装置は、構成部品情報、設定情報および関係情報を対応付けて管理し、管理している構成部品情報の外部への出力が指示された場合には、指定された構成部品情報とこれに対応付けられている設定情報および関係情報とを一緒に出力することとした。そのため、構成部品情報を流用する際、ユーザは流用する構成部品情報に対応付けられている設定情報および関係情報を指定する必要が無くなり、操作にかかる作業負荷を軽減できるとともに作業ミス（出力する設定情報および関係情報の選択ミス）が発生するのを防止できる。
【０１０７】
なお、本実施の形態では、データサーバ３０を備えた構成の情報管理装置１について説明を行ったが一例である。データサーバ３０が情報管理装置１の外部にある構成、すなわち、データサーバ３０とそれ以外を独立した別の装置とし、複数の装置で上述した構成部品情報を管理する構成としてもよい。複数の装置で構成部品情報を管理する場合の例を図２２および図２３に示す。
【０１０８】
図２２は、構成部品情報を管理する情報管理システム１００の構成例を示す図である。情報管理システム１００は、情報管理装置１ａおよびデータサーバ３を含んで構成されている。情報管理装置１ａとデータサーバ３はネットワーク２を介して接続されている。情報管理装置１ａは、情報処理部１０、表示部２１、入力部２２、外部メモリ接続部２３、ユーザ管理部２４、出力部２５および通信部２６を備える。情報処理部１０、表示部２１、入力部２２、外部メモリ接続部２３、ユーザ管理部２４および出力部２５は、図１に示した情報管理装置１が備えている情報処理部１０、表示部２１、入力部２２、外部メモリ接続部２３、ユーザ管理部２４、出力部２５と同じものである。通信部２６は、ネットワーク２を介してデータサーバ３と通信する。データサーバ３は、図１に示したデータサーバ３０に対して通信部３３を追加したものである。通信部３３は、ネットワーク２を介して情報管理装置１ａと通信する。図２２に示した情報管理システム１００による構成部品情報の管理に関連する各種動作は、情報管理装置１ａおよびデータサーバ３がネットワーク２を介して必要な情報を送受信する点を除いて、図１に示した情報管理装置１と同様である。
【０１０９】
図２３は、構成部品情報を管理する情報管理システム１００ｂの構成例を示す図である。情報管理システム１００ｂは、情報管理装置１ｂおよびデータサーバ３ｂを含んで構成されている。情報管理システム１００ｂは、図２２に示した情報管理システム１００の情報管理装置１ａが備えている情報処理部１０、外部メモリ接続部２３、ユーザ管理部２４および出力部２５をデータサーバ３ｂが備えるようにしたものである。図２３に示した情報管理システム１００ｂによる構成部品情報の管理に関連する各種動作は、情報管理装置１ａおよびデータサーバ３がネットワーク２を介して必要な情報を送受信する点を除いて、図１に示した情報管理装置１と同様である。
【０１１０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１１１】
１  情報管理装置、２  ネットワーク、３，３ｂ，３０  データサーバ、１０  情報処理部、１１  情報解析部、１２  検索処理部、１３  登録処理部、１４  設定情報編集部、１５  関係情報編集部、２１表示部、２２  入力部、２３  外部メモリ接続部、２４  ユーザ管理部、２５  出力部、２６，３３  通信部、３１  データ保持部、３２  ユーザデータ保持部。
【図１】
2017179177.tif 000003
【図２】
2017179177.tif 000004
【図３】
2017179177.tif 000005
【図４】
2017179177.tif 000006
【図５】
2017179177.tif 000007
【図６】
2017179177.tif 000008
【図７】
2017179177.tif 000009
【図８】
2017179177.tif 000010
【図９】
2017179177.tif 000011
【図１０】
2017179177.tif 000012
【図１１】
2017179177.tif 000013
【図１２】
2017179177.tif 000014
【図１３】
2017179177.tif 000015
【図１４】
2017179177.tif 000016
【図１５】
2017179177.tif 000017
【図１６】
2017179177.tif 000018
【図１７】
2017179177.tif 000019
【図１８】
2017179177.tif 000020
【図１９】
2017179177.tif 000021
【図２０】
2017179177.tif 000022
【図２１】
2017179177.tif 000023
【図２２】
2017179177.tif 000024
【図２３】
2017179177.tif 000025
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
設備に関する情報を部品化してなる構成部品情報を登録する場合において、登録される構成部品情報と他の１又は複数の構成部品情報との関係を示す関係情報と、前記登録される構成部品情報を相互に対応付けられた状態で記憶部に保管する登録処理部と、
前記記憶部が保管する各構成部品情報を、前記関係情報に基づいて各構成部品情報を、他の構成部品情報との関係が視認可能な形式で表現して表示部に表示する表示画面生成部と、
を備えることを特徴とする情報管理装置。
【請求項２】
前記関係情報は、前記登録される構成部品情報と前記他の１又は複数の構成部品情報との親子関係を示す情報である、
ことを特徴とする請求項１に記載の情報管理装置。
【請求項３】
前記登録処理部は、前記設備の設定情報を前記構成部品情報と対応付けて前記記憶部に登録する、
ことを特徴とする請求項１または２に記載の情報管理装置。
【請求項４】
前記表示画面生成部は、各構成部品情報を前記表示部に表示させる際に、対応付けられている設定情報とともに表示させる、
ことを特徴とする請求項３に記載の情報管理装置。
【請求項５】
前記関係情報および前記設定情報を編集する情報編集部、
を備えることを特徴とする請求項３または４に記載の情報管理装置。
【請求項６】
前記記憶部で保持されている一つ以上の構成部品情報を選択して外部へ出力する操作が行われると、前記操作で選択された構成部品情報および前記操作で選択された構成部品情報と対応付けられている情報を、前記操作で指定された出力先へ出力する情報出力部、
を備えることを特徴とする請求項３、４または５に記載の情報管理装置。
【請求項７】
前記記憶部が保持している構成部品情報のうち、外部から入力されたキーワードを含んでいる設定情報を検索し、検索した設定情報と対応付けられている構成部品情報と、検索した設定情報と対応付けられている構成部品情報と関係のある他の構成部品情報とを前記表示部に表示させる検索処理部、
を備えることを特徴とする請求項３から６のいずれか一つに記載の情報管理装置。
【請求項８】
前記登録処理部は、前記記憶部に登録する前記構成部品情報を記憶領域から受け取り、受け取った構成部品情報と他の構成部品情報との関係を示す関係情報が前記記憶領域に存在するか否かを確認し、関係情報が存在する場合、前記記憶領域から前記関係情報を取得して前記受け取った構成部品情報と対応付けて前記記憶部に登録する、
ことを特徴とする請求項１から７のいずれか一つに記載の情報管理装置。
【請求項９】
前記登録処理部は、前記記憶部に登録する前記構成部品情報を記憶領域から受け取り、受け取った構成部品情報と他の構成部品情報との関係を示す関係情報が前記記憶領域に存在するか否かを確認し、関係情報が存在しない場合、前記受け取った構成部品情報と対応付ける関係情報を生成して前記受け取った構成部品情報と対応付けて前記記憶部に登録する、
ことを特徴とする請求項１から８のいずれか一つに記載の情報管理装置。
【請求項１０】
ユーザのアクセス権を管理するユーザ管理部、
を備え、
ユーザが使用可能な機能を各ユーザに設定されているアクセス権に応じてユーザごとに変更する、
ことを特徴とする請求項１から９のいずれか一つに記載の情報管理装置。
【請求項１１】
１又は複数の構成部品情報を表示する第１の表示領域と、
構成部品情報と他の構成部品情報とを関係付ける第２の表示領域と、
前記第１の表示領域に表示される構成部品情報を前記第２の表示領域に移動する構成部品情報移動手段と、
を備え、
前記登録処理部は、前記第２の表示領域で関係付けられた複数の構成部品情報の関係を関係情報として登録する
ことを特徴とする請求項１から１０のいずれか一つに記載の情報管理装置。
【請求項１２】
前記記憶部に記憶された構成部品情報を検索する検索手段と、
検索手段によって検索された構成部品情報を表示部に表示する表示手段と、
を備え、
表示画面生成部は、前記表示部に表示された構成部品情報が選択されると、選択された構成部品情報を含む前記関係情報に基づいて、この関係情報に関する構成部品情報の関係を視認可能な形式で表現して表示部に表示する
ことを特徴とする請求項１から１０のいずれか一つに記載の情報管理装置。
【請求項１３】
前記表示画面生成部は、複数の関係情報毎に、関係情報に関係付けられた構成部品情報を視認可能な形式で表示部に表示すると共に、
前記表示部に表示された関係情報に関する所望の構成部品情報を、他の関係情報の構成部品情報に関係付けて表示可能であり、
前記登録処理部は、前記表示画面生成部が表示する複数の構成部品情報間の関係を、新たな関係情報として登録する
ことを特徴とする請求項１から１０のいずれか一つに記載の情報管理装置。
【請求項１４】
設備に関する情報を部品化して得られた構成部品情報を保持するデータサーバを備えた情報管理装置が実行する情報管理方法であって、
前記データサーバに登録する構成部品情報を受け取り、受け取った構成部品情報と他の構成部品情報との関係を示す関係情報を前記受け取った構成部品情報と対応付けるステップと、
前記受け取った構成部品情報および前記受け取った構成部品情報に対応付けた関係情報を相互に関連付けた状態で前記データサーバに登録するステップと、
前記データサーバが保持している各構成部品情報を、他の構成部品情報との関係が視認可能な形式で表現して表示部に表示するステップと、
を含むことを特徴とする情報管理方法。
【請求項１５】
前記関係情報は、前記受け取った構成部品情報と前記他の構成部品情報との親子関係を示す情報である、
ことを特徴とする請求項１４に記載の情報管理方法。
【請求項１６】
設備に関する情報を部品化して得られた構成部品情報を保持するデータサーバと、
前記構成部品情報を前記データサーバに登録する情報管理装置と、
を備え、
前記構成部品情報は、他の構成部品情報との関係を示す関係情報と対応付けられた状態で前記データサーバで保持されている、
ことを備えることを特徴とする情報管理システム。
【請求項１７】
前記関係情報は、前記他の構成部品情報との親子関係を示す情報である、
ことを特徴とする請求項１６に記載の情報管理システム。
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
設備に関する情報を部品化してなる構成部品情報を登録する場合において、登録される構成部品情報と他の１又は複数の構成部品情報との関係を示す関係情報と、前記登録される構成部品情報と、を相互に対応付けられた状態で記憶部に保管する登録処理部と、
前記記憶部が保管する各構成部品情報を、前記関係情報に基づいて、他の構成部品情報との関係が視認可能な形式で表現して表示部に表示する表示画面生成部と、
を備え、
前記記憶部は、階層構造の複数のフォルダからなる記憶領域に各構成部品情報を格納し、
前記登録処理部は、前記登録される構成部品情報と対応付けられる前記関係情報を、前記登録される構成部品情報が格納されるフォルダの上位階層のフォルダに格納されている構成部品情報に基づいて生成する、
ことを特徴とする情報管理装置。
【請求項２】
前記関係情報は、前記登録される構成部品情報と前記他の１又は複数の構成部品情報との親子関係を示す情報である、
ことを特徴とする請求項１に記載の情報管理装置。
【請求項３】
前記登録処理部は、前記設備の設定情報を前記構成部品情報と対応付けて前記記憶部に登録する、
ことを特徴とする請求項１または２に記載の情報管理装置。
【請求項４】
前記表示画面生成部は、各構成部品情報を前記表示部に表示させる際に、対応付けられている設定情報とともに表示させる、
ことを特徴とする請求項３に記載の情報管理装置。
【請求項５】
前記関係情報および前記設定情報を編集する情報編集部、
を備えることを特徴とする請求項３または４に記載の情報管理装置。
【請求項６】
前記記憶部で保持されている一つ以上の構成部品情報を選択して外部へ出力する操作が行われると、前記操作で選択された構成部品情報および前記操作で選択された構成部品情報と対応付けられている情報を、前記操作で指定された出力先へ出力する情報出力部、
を備えることを特徴とする請求項３、４または５に記載の情報管理装置。
【請求項７】
前記記憶部が保持している構成部品情報のうち、外部から入力されたキーワードを含んでいる設定情報を検索し、検索した設定情報と対応付けられている構成部品情報と、検索した設定情報と対応付けられている構成部品情報と関係のある他の構成部品情報とを前記表示部に表示させる検索処理部、
を備えることを特徴とする請求項３から６のいずれか一つに記載の情報管理装置。
【請求項８】
前記登録処理部は、前記記憶部に登録する前記構成部品情報を記憶領域から受け取り、受け取った構成部品情報と他の構成部品情報との関係を示す関係情報が前記記憶領域に存在するか否かを確認し、関係情報が存在する場合、前記記憶領域から前記関係情報を取得して前記受け取った構成部品情報と対応付けて前記記憶部に登録する、
ことを特徴とする請求項１から７のいずれか一つに記載の情報管理装置。
【請求項９】
前記登録処理部は、前記記憶部に登録する前記構成部品情報を記憶領域から受け取り、受け取った構成部品情報と他の構成部品情報との関係を示す関係情報が前記記憶領域に存在するか否かを確認し、関係情報が存在しない場合、前記受け取った構成部品情報と対応付ける関係情報を生成して前記受け取った構成部品情報と対応付けて前記記憶部に登録する、
ことを特徴とする請求項１から８のいずれか一つに記載の情報管理装置。
【請求項１０】
ユーザのアクセス権を管理するユーザ管理部、
を備え、
ユーザが使用可能な機能を各ユーザに設定されているアクセス権に応じてユーザごとに変更する、
ことを特徴とする請求項１から９のいずれか一つに記載の情報管理装置。
【請求項１１】
１又は複数の構成部品情報を表示する第１の表示領域と、
構成部品情報と他の構成部品情報とを関係付ける第２の表示領域と、
前記第１の表示領域に表示される構成部品情報を前記第２の表示領域に移動する構成部品情報移動手段と、
を備え、
前記登録処理部は、前記第２の表示領域で関係付けられた複数の構成部品情報の関係を関係情報として登録する
ことを特徴とする請求項１から１０のいずれか一つに記載の情報管理装置。
【請求項１２】
前記記憶部に記憶された構成部品情報を検索する検索手段と、
検索手段によって検索された構成部品情報を表示部に表示する表示手段と、
を備え、
表示画面生成部は、前記表示部に表示された構成部品情報が選択されると、選択された構成部品情報を含む前記関係情報に基づいて、この関係情報に関する構成部品情報の関係を視認可能な形式で表現して表示部に表示する
ことを特徴とする請求項１から１０のいずれか一つに記載の情報管理装置。
【請求項１３】
前記表示画面生成部は、複数の関係情報毎に、関係情報に関係付けられた構成部品情報を視認可能な形式で表示部に表示すると共に、
前記表示部に表示された関係情報に関する所望の構成部品情報を、他の関係情報の構成部品情報に関係付けて表示可能であり、
前記登録処理部は、前記表示画面生成部が表示する複数の構成部品情報間の関係を、新たな関係情報として登録する
ことを特徴とする請求項１から１０のいずれか一つに記載の情報管理装置。
【請求項１４】
設備に関する情報を部品化して得られた構成部品情報を保持するデータサーバを備えた情報管理装置が実行する情報管理方法であって、
前記データサーバに登録する構成部品情報を受け取り、受け取った構成部品情報と他の構成部品情報との関係を示す関係情報を、前記受け取った構成部品情報と相互に対応付ける第１のステップと、
前記受け取った構成部品情報および前記受け取った構成部品情報に対応付けた関係情報を前記データサーバに登録する第２のステップと、
前記データサーバが保持している各構成部品情報を、前記関係情報に基づいて、他の構成部品情報との関係が視認可能な形式で表現して表示部に表示する第３のステップと、
を含み、
前記データサーバは、階層構造の複数のフォルダからなる記憶領域に各構成部品情報を格納し、
前記第１のステップでは、前記関係情報を、前記受け取った構成部品情報が格納されるフォルダの上位階層のフォルダに格納されている構成部品情報に基づいて生成する、
ことを特徴とする情報管理方法。
【請求項１５】
前記関係情報は、前記受け取った構成部品情報と前記他の構成部品情報との親子関係を示す情報である、
ことを特徴とする請求項１４に記載の情報管理方法。
【請求項１６】
設備に関する情報を部品化して得られた構成部品情報を階層構造の複数のフォルダからなる記憶領域で保持するデータサーバと、
前記構成部品情報を前記データサーバに登録する情報管理装置と、
を備え、
前記構成部品情報は、他の構成部品情報との関係を示す関係情報と相互に対応付けられた状態で前記データサーバで保持され、
前記関係情報は、相互に対応付けられる構成部品情報が格納されるフォルダの上位階層のフォルダに格納されている構成部品情報に基づいて生成される、
ことを特徴とする情報管理システム。
【請求項１７】
前記関係情報は、前記他の構成部品情報との親子関係を示す情報である、
ことを特徴とする請求項１６に記載の情報管理システム。
【手続補正２】
【補正対象書類名】明細書
【補正対象項目名】００１０
【補正方法】変更
【補正の内容】
【００１０】
上述した課題を解決し、目的を達成するために、本発明にかかる情報管理装置は、設備に関する情報を部品化してなる構成部品情報を登録する場合において、登録される構成部品情報と他の１又は複数の構成部品情報との関係を示す関係情報と、登録される構成部品情報と、を相互に対応付けられた状態で記憶部に保管する登録処理部と、記憶部が保管する各構成部品情報を、関係情報に基づいて、他の構成部品情報との関係が視認可能な形式で表現して表示部に表示する表示画面生成部と、を備える。記憶部は、階層構造の複数のフォルダからなる記憶領域に各構成部品情報を格納し、登録処理部は、登録される構成部品情報と対応付けられる関係情報を、登録される構成部品情報が格納されるフォルダの上位階層のフォルダに格納されている構成部品情報に基づいて生成する。
【手続補正３】
【補正対象書類名】明細書
【補正対象項目名】００５０
【補正方法】変更
【補正の内容】
【００５０】
一方、登録処理部１３は、データサーバ３０に登録済みの他の構成部品情報が複数の場合（ステップＳ３２：Ｙｅｓ）、親とする他の構成部品情報がユーザに選択されるのを待ち、ユーザは親とする他の構成部品情報を選択する（ステップＳ３３）。このステップＳ３３において、登録処理部１３は、登録対象の構成部品情報の親とすることが可能な他の構成部品情報、すなわち、上位階層フォルダの他の構成部品情報のうち、データサーバ３０に登録済みの他の構成部品情報を、表示部２１に表示し、表示した他の構成部品情報の中の１つが選択されるのを待つ。
【手続補正４】
【補正対象書類名】明細書
【補正対象項目名】００７５
【補正方法】変更
【補正の内容】
【００７５】
情報管理装置１は、キーワードの入力および検索動作の開始が指示されると、入力されたキーワードを有する設定情報をデータサーバ３０のデータ保持部３１から探し出し、探し出した設定情報と対応付けられている構成部品情報の表示を含んだ検索結果表示画面１５２を表示部２１に表示する。図１５に示した検索結果表示画面１５２は、“ＸＹＺ”がキーワードとして入力された場合の検索結果を示す表示画面である。図１３および図１４に示したように、Ｘ−Ｓｙｓｔｅｍに関係する構成部品情報群およびＺ−Ｓｙｓｔｅｍに関係する構成部品情報群のうち、“ＸＹＺ”を含む設定情報と対応付けられているものは構成部品情報ＢおよびＧである。そのため、情報管理装置１は、構成部品情報ＢおよびＧを検索結果表示画面１５２に表示する。情報管理装置１において、入力されたキーワードを有する設定情報を検索する処理は検索処理部１２が実行する。検索処理そのものは一般的なキーワード検索処理と同様であるため、説明は省略する。ユーザは、検索結果として表示されている構成部品情報ＢまたはＧを入力部２２であるマウスを用いてクリックするなどして選択し、選択した構成部品情報と関係のある他の構成部品情報を確認することが可能である。
【手続補正５】
【補正対象書類名】明細書
【補正対象項目名】０１０９
【補正方法】変更
【補正の内容】
【０１０９】
図２３は、構成部品情報を管理する情報管理システム１００ｂの構成例を示す図である。情報管理システム１００ｂは、情報管理装置１ｂおよびデータサーバ３ｂを含んで構成されている。情報管理システム１００ｂは、図２２に示した情報管理システム１００の情報管理装置１ａが備えている情報処理部１０、外部メモリ接続部２３、ユーザ管理部２４および出力部２５をデータサーバ３ｂが備えるようにしたものである。図２３に示した情報管理システム１００ｂによる構成部品情報の管理に関連する各種動作は、情報管理装置１ｂおよびデータサーバ３ｂがネットワーク２を介して必要な情報を送受信する点を除いて、図１に示した情報管理装置１と同様である。
【国際調査報告】
2017179177.tif 000026
2017179177.tif 000027